(57)【要約】【課題】カーテン生地に対し昇降コードを容易に着脱可能としながら、カーテン生地のたくし上げ操作時にカーテン生地の片上がりを生じさせないたくし上げカーテンの昇降装置を提供する。【解決手段】ヘッドボックスからカーテン生地を吊下支持し、ヘッドボックスから垂下した昇降コードをカーテン生地に取着した複数の挿通部に挿通し、昇降コードの下端をカーテン生地の下端部に取着し、昇降コードを操作装置で昇降することによりカーテン生地をたくし上げ可能としたたくし上げカーテンにおいて、スライドファスナー８を構成する一方の帯部９ａをカーテン生地２に上下方向に取着し、他方の帯部９ｂに挿通部４を取着し、挿通部４に昇降コード３を挿通した。【選択図】図２
2008307174.tif 000002
【特許請求の範囲】
【請求項１】
ヘッドボックスからカーテン生地を吊下支持し、前記ヘッドボックスから垂下した昇降コードを前記カーテン生地に取着した挿通部に挿通し、前記昇降コードの下端を前記カーテン生地の下端部に取着し、前記昇降コードを昇降することにより前記カーテン生地をたくし上げ可能としたたくし上げカーテンにおいて、
スライドファスナーを構成する一方の帯部を前記カーテン生地に上下方向に取着し、他方の帯部に前記挿通部を取着し、該挿通部に前記昇降コードを挿通したことを特徴とするたくし上げカーテンの昇降装置。
【請求項２】
前記昇降コードの下端部を、前記他方の帯部の下端部に取着したことを特徴とする請求項１記載のたくし上げカーテンの昇降装置。
【請求項３】
前記スライドファスナーは、前記帯部の上端部に開具を設けて、スライダーを下方へ引き下げることにより、前記帯部を接合可能としたことを特徴とする請求項１又は２記載のたくし上げカーテンの昇降装置。
【請求項４】
前記挿通部は、昇降コードを挿通可能としたリングで構成したことを特徴とする請求項１乃至３のいずれか１項に記載のたくし上げカーテンの昇降装置。
【請求項５】
前記他方の帯部の最下部に位置するリングに前記昇降コードの下端を取着したことを特徴とする請求項４記載のたくし上げカーテンの昇降装置。
【請求項６】
前記スライドファスナーは、前記帯部にコイル状のファスナーエレメントを織込み、または編み込んで取着したことを特徴とする請求項１乃至５のいずれか１項に記載のたくし上げカーテンの昇降装置。
【請求項７】
前記カーテン生地の上端部を面ファスナーで前記ヘッドボックスに接合したことを特徴とする請求項１乃至６のいずれか１項に記載のたくし上げカーテンの昇降装置。
【発明の詳細な説明】
【技術分野】
【０００１】
この発明は、たくし上げカーテンのカーテン生地を昇降する昇降装置に関するものである。
【背景技術】
【０００２】
たくし上げカーテンは、ヘッドボックスからカーテン生地が吊下支持され、昇降装置によりそのカーテン生地を下端部から引き上げ、あるいは下端部を下降させることにより、カーテン生地を昇降可能となっている。
【０００３】
昇降装置は、ヘッドボックスから垂下される複数本の昇降コードの下端がカーテン生地の下端部に取着され、各昇降コードはヘッドボックスとカーテン生地の下端部との間でカーテン生地に取着された複数のリングに挿通されている。
【０００４】
そして、操作手段により各昇降コードをヘッドボックスに向かって引き上げることによりカーテン生地を引き上げ可能であり、各昇降コードを下降させることによりカーテン生地の下端部を下降させるようになっている。
【０００５】
このようなたくし上げカーテンでは、カーテン生地を洗濯する場合に、ヘッドボックス及び昇降コードからカーテン生地を取り外す必要がある。カーテン生地の上端部は、通常面ファスナーでヘッドボックスに接着されているので、カーテン生地を取り外す場合には、面ファスナーを剥がし、さらに昇降コードの下端に取着されたフックをカーテン生地から取り外し、さらに各リングから昇降コードを取り外す必要がある。
【０００６】
また、洗濯されたカーテン生地を再設置する場合には、各リングに昇降コードを挿通するとともに、昇降コード下端のフックをカーテン生地の下端部に取着し、さらに面ファスナーでカーテン生地の上端部をヘッドボックスに接合する必要がある。
【０００７】
しかし、このような昇降コードの取り外し作業及び取付作業が煩雑であるという問題点がある。
特許文献１には、昇降コードを挿通するリングを面ファスナーテープに取着し、その面ファスナーテープをカーテン生地に接合するようにしたローマンシェードが開示されている。このようなローマンシェードでは、面ファスナーテープをカーテン生地から取り外すことにより、昇降コードをカーテン生地から容易に取り外し可能である。
【０００８】
特許文献２には、昇降コードを挿通するリングをスナップ留め具でカーテン生地に取着するこのような構成では、スナップ留め具を外すことにより、昇降コードをカーテン生地から取り外し可能である。
【特許文献１】特許第３０４８５４４号公報
【特許文献２】実公平７−２５１０４号公報
【発明の開示】
【発明が解決しようとする課題】
【０００９】
特許文献１に記載されたローマンシェードでは、各昇降コード毎に面ファスナーテープをカーテン生地に接合するため、面ファスナーテープの取付位置が上下方向にずれると、左右の面ファスナーテープに取着されたリングの高さがずれてしまう。すると、カーテン生地を引き上げたとき、カーテン生地に片上がりが生じてしまう。
【００１０】
特許文献２に記載された構成では、スナップ留め具の保持スナップの取り付け位置を正確に位置決めすれば、左右方向に位置するリングの高さがずれることはない。しかし、昇降コードをカーテン生地から取り外すには、多数のスナップ留め具をすべて外し、昇降コードをカーテン生地に取着する場合には、多数のスナップ留め具をすべて係合させる必要があるため、その着脱作業が煩雑となるという問題点がある。
【００１１】
この発明の目的は、カーテン生地に対し昇降コードを容易に着脱可能としながら、カーテン生地のたくし上げ操作時にカーテン生地の片上がりを生じさせないたくし上げカーテンの昇降装置を提供することにある。
【課題を解決するための手段】
【００１２】
請求項１では、ヘッドボックスからカーテン生地を吊下支持し、前記ヘッドボックスから垂下した昇降コードを前記カーテン生地に取着した複数の挿通部に挿通し、前記昇降コードの下端を前記カーテン生地の下端部に取着し、前記昇降コードを操作装置で昇降することにより前記カーテン生地をたくし上げ可能としたたくし上げカーテンにおいて、スライドファスナーを構成する一方の帯部を前記カーテン生地に上下方向に取着し、他方の帯部に前記挿通部を取着し、該挿通部に前記昇降コードを挿通した。
【００１３】
請求項２では、前記昇降コードの下端部を、前記他方の帯部の下端部に取着した。
請求項３では、前記スライドファスナーは、前記帯部の上端部に開具を設けて、スライダーを下方へ引き下げることにより、前記帯部を接合可能とした。
【００１４】
請求項４では、前記挿通部は、昇降コードを挿通可能としたリングで構成した。
請求項５では、前記他方の帯部の最下部に位置するリングに前記昇降コードの下端を取着した。
【００１５】
請求項６では、前記スライドファスナーは、前記帯部にコイル状のファスナーエレメントを織込み、または編み込んで取着した。
請求項７では、前記カーテン生地の上端部を面ファスナーで前記ヘッドボックスに接合した。
【発明の効果】
【００１６】
本発明によれば、カーテン生地に対し昇降コードを容易に着脱可能としながら、カーテン生地のたくし上げ操作時にカーテン生地の片上がりを生じさせないたくし上げカーテンの昇降装置を提供することができる。
【発明を実施するための最良の形態】
【００１７】
以下、この発明を具体化したたくし上げカーテンの一実施の形態を図面に従って説明する。
図１に示すたくし上げカーテンは、ヘッドボックス１からカーテン生地２が吊下支持され、同じくヘッドボックス１から複数本の昇降コード３が垂下されている。各昇降コード３は、カーテン生地２の背面側に設けられる複数のリング（挿通部）４にそれぞれ挿通され、その下端にフック５が取着されている。そして、フック５がカーテン生地２の下端部に設けられるリング４を吊下支持している。
【００１８】
前記昇降コード３の上端部は、前記ヘッドボックス１内においてその一方端部に案内され、同ヘッドボックス１の一方端部からストッパー装置（図示しない）を経て同ヘッドボックス１外へ案内されている。そして、各昇降コード３の端部にイコライザー６が取着され、そのイコライザー６に操作コード７が取着されている。前記ストッパー装置は、カーテン生地２の自重降下を阻止して、カーテン生地を所望高さに吊下支持する。
【００１９】
前記カーテン生地２に対するリング４の取付構成を図２に従って説明する。前記カーテン生地２の背面において、前記昇降コード３の取付位置にはスライドファスナー８の一方の帯部９ａが縫着されている。スライドファスナー８の他方の帯部９ｂにはリング４が所定間隔毎に取着され、そのリング４に前記昇降コード３が挿通され、最下部のリング４に前記フック５が掛止めされている。
【００２０】
前記帯部９ａ，９ｂの側縁には、互いに噛合する噛合部１０ａ，１０ｂが設けられ、その噛合部１０ａ，１０ｂの上端部には、開具１１ａ，１１ｂがそれぞれ取着されている。また、前記噛合部１０ａにはスライダー１２が上下方向に移動可能に支持されている。
【００２１】
そして、スライダー１２を開具１１ａ位置まで引き上げた状態で、開具１１ｂをスライダー１２から開具１１ｂに係合させ、この状態でスライダー１２を引き下ろすと、噛合部１０ａ，１０ｂが噛み合って、帯部９ｂが帯部９ａに接合される。従って、帯部９ａ，９ｂが接合されると、昇降コード３を挿通したリング４がカーテン生地２に取着された状態となる。
【００２２】
前記スライドファスナー８の帯部９ａは、複数本の昇降コード３に対応する位置にそれぞれ取着される。そして、各帯部９ａの開具１１ａが同一高さとなるようにカーテン生地２に縫着されている。また、各帯部９ｂに取着されたリング４は、開具１１ｂと最上部のリング４の間隔及び各リング４の間隔が一致するように取着されている。
【００２３】
前記帯部９ｂの噛合部１０ｂの下端部には、スライダー１２の下限位置を設定する止め具１３が取着されている。
前記スライドファスナー８は、図３に示すように、コイル状のファスナーエレメント１４に芯紐１５が挿通され、その芯紐１５を帯部９ａ，９ｂに織込み、または編み込んでファスナーエレメント１４が帯部９ａ，９ｂに取着されている。ファスナーエレメント１４は、柔軟性を備えた熱可塑性樹脂で形成されている。このようなスライドファスナー８により、カーテン生地２がたくし上げられたとき自然な襞が生成される。
【００２４】
また、スライドファスナー８は、図４及び図５に示すように、ジグザグ状のファスナーエレメント１６を帯部９ａ，９ｂに縫合したものとしてもよい。
上記のように構成されたたくし上げカーテンでは、操作コード７を下方へ引くと、ヘッドボックス１から垂下される各昇降コード３が引き上げられ、フック５を介して各スライドファスナー８のリング４が最下部のリング４から順次引き上げられる。すると、カーテン生地２が下方から順次たくし上げられる。
【００２５】
カーテン生地２を所望高さまで引き上げた後、操作コード７を手放すと、ストッパー装置が作動して、カーテン生地２が所望高さに吊下支持される。
また、この状態から操作コード７を僅かに下方へ引くと、ストッパー装置の作動が解除され、たくし上げられたカーテン生地２の自重により、カーテン生地２を下降させることが可能となる。
【００２６】
カーテン生地２を洗濯する場合には、スライドファスナー８の下端部に位置するスライダー１２を開具１１ａ，１１ｂに達するまで上方へ引き上げると、帯部９ａ，９ｂが分離される。この状態では、昇降コード３を挿通したリング４が取着された帯部９ｂとカーテン生地２が分離される。そして、カーテン生地２の上端部をヘッドボックス１から取り外せば、カーテン生地２を洗濯可能となる。
【００２７】
洗濯したカーテン生地２をヘッドボックス１に設置する場合には、カーテン生地２の上端部をヘッドボックス１に接合し、次いでスライダー１２を帯部９ａの上端部に位置させた状態で、開具１１ａに開具１１ｂを係合させ、この状態でスライダー１２を止め具１３位置まで押し下げると、帯部９ａ，９ｂが接合される。
【００２８】
この状態では、昇降コード３を挿通したリング４がカーテン生地２に取着され、最下部のリング４にはフック５が取着されている。そして、操作コード７の操作によりカーテン生地２を昇降可能である。
【００２９】
上記のようなたくし上げカーテンでは、次に示す作用効果を得ることができる。
（１）スライドファスナー８により、カーテン生地２に対し昇降コード３を容易に着脱することができる。従って、カーテン生地２を容易に取り外して洗濯することができる。
（２）スライドファスナー８は、開具１１ａ，１１ｂを係合させてスライダー１２を押し下げることにより、帯部９ａ，９ｂが上下方向にずれて接合されることはない。従って、各スライドファスナー８のリング４の上下方向の位置ずれを防止することができるので、カーテン生地２のたくし上げ操作時における同カーテン生地２の片上がりを未然に防止することができる。
（３）スライドファスナー８は、スライダー１２を上方から下方へ引き下げて帯部９ａ，９ｂを接合する構成であるので、その接合操作を容易に行うことができる。
【００３０】
上記実施の形態は、以下の態様で実施してもよい。
・上記のようにリングをカーテン生地に着脱する構成を、たくし上げカーテンの側縁をガイドワイヤで保持する保持装置として使用することもできる。
・昇降コード３を、巻取軸で巻き取り、あるいは巻戻して、カーテン生地２を昇降するようにしてもよい。
【図面の簡単な説明】
【００３１】
【図１】たくし上げカーテンを示す正面図である。
【図２】カーテン生地の昇降装置を示す正面図である。
【図３】スライドファスナーのファスナーエレメントを示す正面図である。
【図４】スライドファスナーのファスナーエレメントを示す正面図である。
【図５】スライドファスナーのファスナーエレメントを示す平面図である。
【符号の説明】
【００３２】
１…ヘッドボックス、２…カーテン生地、３…昇降コード、４…挿通部（リング）、８…スライドファスナー、９ａ，９ｂ…帯部、１１ａ，１１ｂ…開具、１２…スライダー、１４，１６…ファスナーエレメント。
【図１】
2008307174.tif 000003
【図２】
2008307174.tif 000004
【図３】
2008307174.tif 000005
【図４】
2008307174.tif 000006
【図５】
2008307174.tif 000007